(57)【要約】  本発明の目的は、複数のフィルタを有し、フィルタの並列配置を含みながらも、接続配管の圧力損失が小さく、十分コンパクトな浄水器を提供することにある。原水入口と浄水出口との間を接続する流路に、一端側に入口と出口とを備えた柱状のフィルタを３つ以上配置する浄水器であって、前記フィルタの内、少なくとも２つのフィルタは前記流路において並列配置され、前記並列配置の１つの組に係る接続配管経路における曲がり角度の合計値は２００度以下であることを特徴とする。
2014119530.tif 000002
【特許請求の範囲】
【請求項１】
原水入口と浄水出口との間を接続する流路に、一端側に入口と出口とを備えた柱状のフィルタを３つ以上配置する浄水器であって、前記フィルタの内、少なくとも２つのフィルタは前記流路において並列配置され、かつ、前記並列配置の１つの組に係る接続配管経路における曲がり角度の合計値は２００度以下であることを特徴とする浄水器。
【請求項２】
前記３つ以上のフィルタは２列配置されており、かつ前記並列配置の１つの組に係る接続配管経路における曲がり回数は２回であることを特徴とする請求項１に記載の浄水器。
【請求項３】
前記３つ以上のフィルタは２列配置されており、前記２列配置は、千鳥配置であることを特徴とする請求項１または２に記載の浄水器。
【請求項４】
前記並列配置に係る接続配管経路は、同一の形状の経路となっている請求項１〜３のいずれかに記載の浄水器。
【請求項５】
前記並列配置されるフィルタは、同種類のフィルタであることを特徴とする請求項１〜４のいずれかに記載の浄水器。
【請求項６】
前記並列配置されるフィルタは、同一の圧力損失およびろ過性能を有するものであることを特徴とする請求項５に記載の浄水器。
【請求項７】
前記フィルタは、入口と出口とを有するフィルタヘッド部とフィルタカートリッジとから成り、前記フィルタヘッド部の形状は同一の形状であることを特徴とする請求項１〜６のいずれかに記載の浄水器。
【請求項８】
前記３つ以上のフィルタは２列配置されており、前記フィルタのそれぞれの入口と出口とは、一直線上に配設され、前記直線と前記２列配置の列の中心軸とは平行であることを特徴とする請求項１〜７のいずれかに記載の浄水器。
【請求項９】
前記並列配置に係る複数の分岐配管は、それぞれ単一の樹脂成形管であることを特徴とする請求項１〜８のいずれかに記載の浄水器。
【請求項１０】
前記並列配置に係る複数の分岐配管は、同一の形状であることを特徴とする請求項１〜９のいずれかに記載の浄水器。
【請求項１１】
前記３つ以上のフィルタは２列配置されており、前記２列配置された２列における、各列の中心軸間の距離は、前記フィルタの外径寸法より小さいことを特徴とする請求項１〜１０のいずれかに記載の浄水器。
【請求項１２】
前記並列配置されるフィルタに収納されるろ材は、軸方向長さが径方向長さより長い、柱状または筒状に構成される吸着剤であり、かつ前記吸着剤における流路方向はその軸方向であることを特徴とする請求項１〜１１のいずれかに記載の浄水器。
【請求項１３】
前記並列配置されるフィルタに収納されるろ材は活性炭であることを特徴とする請求項１〜１２のいずれかに記載の浄水器。
【発明の詳細な説明】
【技術分野】
【０００１】
本発明は、一般家庭などの水道水の浄化を行うための浄水器に関する。
【背景技術】
【０００２】
一般家庭で用いられる浄水器、特に流し台の下部に設置して用いられるアンダーシンク型浄水器など、大容量で長いろ過寿命（大きな浄水能力）を保有させる浄水器では、それぞれ異なる種類のろ材を収納した複数のフィルタを搭載したものがある。そして、そのような複数のフィルタを有する浄水器においては、十分なろ過流量を確保するため、例えば特許文献１に記載されるように、構成する一部のフィルタを並列に配置することが行われている。【０００３】
特許文献１の浄水器は、扁平形状の筐体に収納可能な形態に構成してコンパクト化を図ろうとしてはいるものの、しかしながら、複数のフィルタの配置は横一列になっており、しかもその接続配管は、フィルタを取り巻くように複雑に何回も曲がり（直角曲がりが３回以上であり）、かつ長くて、大きなスペースを占めているので、浄水器は、接続配管での圧力損失が大きいし、十分コンパクトにはなっていないという問題があった。
【先行技術文献】
【特許文献】
【０００４】
【特許文献１】特開２００７−２８９８８８号公報
【発明の概要】
【発明が解決しようとする課題】
【０００５】
本発明の目的は、上述のような問題点に鑑み、複数のフィルタを有し、フィルタの並列配置を含みながらも、接続配管の圧力損失が小さく、十分コンパクトな浄水器を提供することにある。
【課題を解決するための手段】
【０００６】
前記課題を解決するため、本発明の浄水器は下記の構成から成る。すなわち、
（１）原水入口と浄水出口との間を接続する流路に、一端側に入口と出口とを備えた柱状のフィルタを３つ以上配置する浄水器であって、前記フィルタの内、少なくとも２つのフィルタは前記流路において並列配置され、前記並列配置の１つの組に係る接続配管経路における曲がり角度の合計値は２００度以下であることを特徴とする浄水器である。
（２）前記３つ以上のフィルタは２列配置されており、かつ前記並列配置の１つの組に係る接続配管経路における曲がり回数は２回であると好ましい。
（３）前記３つ以上のフィルタは２列配置されており、前記２列配置は、千鳥配置であると好ましい。
（４）前記並列配置に係る接続配管経路は、同一の形状の経路となっていると好ましい。
（５）前記並列配置されるフィルタは、同種類のフィルタであると好ましい。
（６）前記並列配置されるフィルタは、同一の圧力損失およびろ過性能を有するものであると好ましい。
（７）前記フィルタは、入口と出口とを有するフィルタヘッド部とフィルタカートリッジとから成り、前記フィルタヘッド部の形状は同一の形状であると好ましい。
（８）前記３つ以上のフィルタは２列配置されており、前記フィルタのそれぞれの入口と出口とは、一直線上に配設され、前記直線と前記２列配置の列の中心軸とは平行であると好ましい。
（９）前記並列配置に係る複数の分岐配管は、それぞれ単一の樹脂成形管であると好ましい。
（１０）前記並列配置に係る複数の分岐配管は、同一の形状であると好ましい。
（１１）前記３つ以上のフィルタは２列配置されており、前記２列配置された２列における、各列の中心軸間の距離は、前記フィルタの外径寸法より小さいと好ましい。
（１２）前記並列配置されるフィルタに収納されるろ材は、軸方向長さが径方向長さより長い、柱状または筒状に構成される吸着剤であり、かつ前記吸着剤における流路方向はその軸方向であると好ましい。
（１３）前記並列配置されるフィルタに収納されるろ材は活性炭であると好ましい。
【発明の効果】
【０００７】
本発明は、上記の構成により以下の優れた効果を奏することができる。すなわち、
上記(１)の構成により、並列配置されるフィルタ部分の圧力損失低減ができるだけでなく、並列配置に係る接続配管経路としても圧力損失を低減できる。その結果、浄水器としての流量を増大させることができる。【０００８】
また、上記(２)の構成により、上記（１）構成による効果に加えて、並列配置に係る接続配管経路は従来接続方式よりシンプル、コンパクトとなる。【０００９】
また、上記（３）の構成により、２列の並列配置であっても、千鳥配置なので、２列目のフィルタが１列目のフィルタの間に来るので、１列目側（浄水器正面側）からの２列目フィルタへのアクセスがし易く、その交換、メンテナンス時に便利である。【００１０】
また、上記（４）の構成により、並列配置に係る２つの接続配管経路を同じ圧力損失とすることができるので、並列配置される２つのフィルタの流量を同じにすることに寄与する。【００１１】
また、上記（５）の構成により、並列配置されているフィルタの寿命をほぼ同じくすることができ、どちらかが使用可能なのに中途に交換してしまうような無駄がなくなり、同時に一遍に交換することになるので、最も経済的である。【００１２】
また、上記（６）の構成により、上記（５）の構成による効果をさらに確実にできる。【００１３】
また、上記（７）の構成により、フィルタヘッド部の成形金型は１種類となり、安価製造に寄与するし、組立の間違いも起こさない。【００１４】
また、上記（８）の構成により、分岐配管は配管がし易いシンプルな形状のものとなる。【００１５】
また、上記（８）の構成により、通常使用するチューブやティー、エルボなど複数の配管継手といった多くの部材を要することなく、配管作業が単純、簡単となる。また、分岐配管は樹脂成形管なので安価である。【００１６】
また、上記（１０）の構成により、分岐配管は１種類となり、安価製造に寄与するし、組立の間違いも起こさない。【００１７】
また、上記（１１）の構成により、並列配置であっても、奥行き方向にコンパクトな配置が可能となり、浄水器全体としてもコンパクトとなる。【００１８】
また、上記（１２）の構成により、径方向流路のろ材よりも、ショートパスの恐れが少なく、また安価でもあり、かつ口径が小さくできるのでフィルタの耐圧強度が大きい。【００１９】
また、上記（１３）の構成により、通常浄水器全体で圧力損失が大きい活性炭をろ材とするフィルタが並列配置されることになり、圧力損失低減と浄水器流量増大の効果が大きい。
【図面の簡単な説明】
【００２０】
【図１】本発明の一実施形態に係る浄水器の正面図、平面図、右側面図、斜視図
【図２】本発明の一実施形態に係る分岐配管の平面図
【図３】本発明の一実施形態に係るフィルタヘッド部、フィルタカートリッジ、および取付板に関する縦断面図、正面図、横断面図
【図４】本発明の他の実施形態に係るフィルタヘッド部、フィルタカートリッジ、および取付板に関する縦断面図、正面図、横断面図
【図５】本発明の一実施形態に係る吸着ろ過によるフィルタカートリッジの縦断面図
【図６】本発明の一実施形態に係るプレフィルタとしてのフィルタカートリッジの縦断面図
【図７】本発明の一実施形態に係る膜ろ過によるフィルタカートリッジの縦断面図
【図８】本発明の実施形態例に係るフィルタ接続配管経路の模式平面図
【図９】本発明の他の実施形態例に係るフィルタ接続配管経路の模式平面図
【図１０】本発明の他の実施形態例に係るフィルタ接続配管経路の模式平面図
【図１１】本発明に属さない形態例に係るフィルタ接続配管経路の模式平面図
【発明を実施するための形態】
【００２１】
以下、本発明の実施形態の例を、図面を参照しながら説明する。
【００２２】
なお、本発明における「浄水器用フィルタ」は以下単に「フィルタ」と呼ぶこととする。
【００２３】
図１に、本発明の一実施形態に係る浄水器を示す。図１の（Ａ）はその正面図、（Ｂ）は平面図、（Ｃ）は右側面図、（Ｄ）は斜視図を示す。
【００２４】
図１に示すように、本実施形態の浄水器１は、基本的に、フィルタヘッド部４とフィルタカートリッジ５から成るフィルタ２、取付板３、および配管６から構成される。
フィルタ２は複数備えられており、それらの間は、複数の配管６によって、浄水器の処理対象である水道水を流通可能に連結されている。
【００２５】
複数のフィルタ２のそれぞれのフィルタヘッド部４は、水道水流路としての導入口７と導出口８を有しており、フィルタ２は、柱状でその一端側に入口と出口を備えている形式のものである。このような形式のフィルタは、両端側に入口と出口をそれぞれ備えるフィルタに比べ、配管接続を一端側に纏めてコンパクトに構成できる利点がある。特にフィルタを複数備える浄水器において、その利点は顕著となる。図１（Ａ）では左端に位置するフィルタヘッド部４の導入口７は、浄水器１の原水導入口９であり、原水導入口９には、別途用意される水栓を介して原水導入管が接続され、原水としての水道水が供給される。また、図１（Ａ）では右端に位置するフィルタヘッド部４の導出口８は、浄水器１の浄水導出口１０であり、別途用意される浄水導出管が接続され、その浄水導出管の他端は、直接、または一旦水栓を介して、使用者へ浄水を吐出する浄水ノズルに接続されることになる。
【００２６】
原水導入口９と浄水導出口１０との間を接続する流路には、複数のフィルタ２が配置されており、原水導入口９に供給された原水は、複数のフィルタ２を通じて浄化され、浄水導出口１０から浄水として流出する。
【００２７】
図１の実施形態の浄水器１では、４本のフィルタ２が連結されている。流路の上流側から順に、第１フィルタ、並列配置・接続された第２フィルタと第３フィルタ、第４フィルタと呼ぶこととする。それら４本のフィルタは外形形状としては同一であり、連結構造上は互換可能なものであるが、そのフィルタカートリッジ内部に収納されるろ材は異なっており、違ったろ過機能と方式を有している。それぞれ次のような機能、方式、構成であると好ましい。すなわち、第１フィルタは、プレフィルタであって、適度なろ過精度（およそ１〜１０μｍ程度）の樹脂（ポリプロピレン、ポリエチレンなど）製の不織布やメルトブローによる成形体などをろ材として、水道水中に存在し得るゴミや比較的大きな粒子状不純物を粗取り・ろ過する。流路において並列配置されている第２フィルタと第３フィルタは、同一または同様の圧力損失およびろ過性能（ろ過能力や除去性能）を有する同一または同種類の吸着ろ過によるフィルタであって、活性炭などをろ材として、水道水中に含まれ得る残留塩素、臭い、有害な有機物（トリハロメタンなど）などを吸着または分解して除去する。第４フィルタは膜ろ過によるフィルタであって、微細孔を有する中空糸膜などをろ材として、水道水中に含まれ得る微小な粒子、濁り成分、細菌類などをろ過する。
【００２８】
水道水中の濁り成分等が多い場合には、この膜ろ過によるフィルタを並列配置する実施形態も可能である。そうすると、膜ろ過によるフィルタ部分のろ過性能の長寿命化や圧力損失低減の効果を得ることができる。同様に、水道水中に比較的大きなゴミ等が多く含まれる場合には、プレフィルタを並列配置する実施形態も可能で、有効である。
【００２９】
図１（Ｂ）から分かるように、４つのフィルタ２は、平面視（柱状のフィルタ２の軸方向視）において２列配置、かつ千鳥配置されている。また、第２フィルタと第３フィルタとの並列配置に係る接続配管経路（すなわち、並列配置のために１本から分岐して、その後再び合流し１本に戻るまでの接続配管経路）において、経路の曲がり回数は、並列配置に係るどちらの経路においても２回となっている。そして、図１（Ｂ）においては、その接続配管経路の曲がりは、曲がり角度が直角（９０度）となっている。つまり、並列配置に係る接続配管経路における曲がり角度の合計値は１８０度となっている。設計裕度や製作誤差等を含めて曲がり角度の合計値を２００度以下とするのが、本発明の範囲である。ここで、接続配管経路における曲がりとは、接続配管の経路にとっての曲がりなのであって、フィルタ内部の流路だけに係わる曲がりは含まないものと定義する。通常、導入口と導出口とを有するフィルタヘッド部とフィルタカートリッジとから成るフィルタの内部においても、流路曲がりがあり、そのフィルタ内部流路での曲がり角度の合計値は２００度を越える。従って、並列配置に係る接続配管経路における曲がり角度の合計値を２００度以下とすることは、フィルタ部分より接続配管経路の圧力損失を低くし、浄水器全体としての圧力損失を低減させるのに重要かつ有効な要件である。本発明において、接続配管経路の曲がりとは、接続配管経路の向きを直線である状態から所定の角度だけ変化させ、流路としての有意な圧力損失をもたらす曲がりの全てを含むものとし、曲がり角度が直角以外の角度の曲がりや、ある１つの円弧的曲がりも１回の曲がりとする。円弧的曲がりにおいては、円弧の両端点における円弧への接線同士の交差する角度で曲がり角度を定義するものとする（後述の図９（Ｂ）参照）。また、柱状のフィルタ２の軸方向に直交する平面内の曲がりだけでなく、その平面外（上下方向）への曲がりも含めるものとする。このように、並列配置に係る接続配管経路における曲がり角度の合計値を２００度以下と、限定した範囲内に設定するので、並列配置によってフィルタ部分の圧力損失低減ができるだけでなく、並列配置に係る接続配管経路としても従来接続方式より、圧力損失を低減できる。また、曲がり回数２回でフィルタを並列配置するので、並列配置に係る接続配管経路として合理的な配置設計が可能となり、さらに従来接続方式よりシンプル、コンパクトとなり、圧力損失を低減できる。つまり、並列配置によるフィルタ部分の圧力損失低減という目的を、接続配管経路の圧力損失が損なうことがない。この結果、浄水器としての流量を増大させることができる。
【００３０】
図１（Ｂ）の実施形態では、曲がり角度が直角（９０度）の曲がりが２回で、並列配置に係る接続配管経路が形成されているが、もちろん、曲がり角度がより小さい角度（例えば４５度）の２回曲がりとする別の実施形態もあり得る（後述の図９（Ａ）参照）。このように、曲がり角度の合計値が小さい場合の方が、曲がりにおける圧力損失はより低減できる。但しその場合は、フィルタ同士の干渉を避けるため直線部分の配管経路を、図１（Ｂ）より長くする必要があり、それに伴い、浄水器としての横方向長さも長くなる。
【００３１】
また、浄水器設計の都合上、例えば、フィルタや配管近傍の付属物との干渉を避けるため、並列配置に係る接続配管経路を２回より多い回数（例えば４回）曲げる実施形態もあり得る。その場合でも１回の曲がりの曲がり角度を小さくして、曲がり角度の合計値を２００度以下に保つので、接続配管経路の圧力損失を低減できる。
【００３２】
図１（Ｂ）において、並列配置に係る接続配管経路は、同一の形状の経路となっている。これにより、並列配置に係る２つの接続配管経路を同じ圧力損失とすることができる。そして、並列配置されている同一または同種類のフィルタ２の寿命をほぼ同じくすることができ、どちらかが使用可能なのに中途に交換してしまうような無駄がなくなり、同時に一遍に交換することになるので、最も経済的である。もちろん、異なる種類、異なる性能のフィルタを並列配置することもあり得て、それも本発明に含まれる。
【００３３】
また、２列配置された２列における、各列の中心軸間の距離は、フィルタ２の外径寸法より小さいように設定されている。このような２列の並列配置のため、奥行き方向にコンパクトな配置が可能となっており、浄水器全体としてもコンパクトである。
【００３４】
さらに、図１において、フィルタ２のそれぞれの入口と出口（フィルタヘッド部４の導入口７と導出口８）とは、一直線上に配設され、その直線と２列配置の列の中心軸とは平行となっている。そして、複数のフィルタ２を連結する複数の配管６は、並列配置に係わって、分岐配管となっており、それぞれは単一の樹脂成形管で構成されている。しかも、複数の分岐配管は、図２に示す同一の形状の分岐配管６である。この分岐配管６は、先端を差し込み、連結する方式のもので、フィルタヘッド部４の導入口７または導出口８にワンタッチで簡単に差し込み、連結することができる。また、複数のフィルタ２のフィルタヘッド部４の形状も同一の形状となっている。上記のようなフィルタ２、フィルタヘッド部４の配置・形状と、配管構成のため、分岐配管６はシンプルな形状のものとなると共に、通常使用するチューブやティー、エルボなど複数の配管継手といった多くの部材を要することなく、配管作業が単純、簡単となる。また、分岐配管６は樹脂成形管なので安価であるし、しかも必要とされる分岐配管６が同一の形状で１種類で済むことは、分岐配管６の樹脂成形金型も１種類となることに繋がり、さらに安価製造に寄与するし、組立の間違いも起こさない。フィルタヘッド部４の形状が同一の形状で１種類であることも、同様の効果を奏する。一方もちろん、図１に示す並列配置において、分岐配管を通常のチューブとティーやエルボの配管継手とを使用した形態とすることも可能であり、それも本発明に含まれる。そうすることにより、部材の入手が容易で、汎用性に優れるというメリットを得ることができる。
【００３５】
図１の実施形態の浄水器１では、フィルタ２は４本の構成であるが、並列配置に係わる少なくとも２本（２つ）のフィルタ含めて３本（３つ）以上のフィルタを配置する構成の浄水器であれば、２列の千鳥配置の並列配置を実現することができ、上述の作用、効果も得ることができる。
【００３６】
図８に、フィルタの並列配置に係る接続配管経路の模式平面図を用いて、図１の実施形態とそれ以外の本発明の変形実施例を示す。図８において、丸印は、フィルタ（およびフィルタヘッド部）を表し、丸印間の直線は配管を表す。
【００３７】
また、図９、図１０には、図８とは異なる、本発明の実施形態例のフィルタの並列配置に係る接続配管経路の模式平面図について示す。一方、図１１は、本発明（の並列配置に関する部分）に属さない形態例におけるフィルタ接続配管経路の模式平面図である。図９、図１０、図１１においても、丸印と直線は図８と同一の意味を有する。
【００３８】
図８のいずれの図の実施例においても、並列配置に係る接続配管経路における曲がり角度の合計値は１８０度（２００度以下）であり、曲がり回数は２回になっているし、かつ接続配管経路は同一の形状の経路となっている。図示はしないが、例えば、並列配置に係る２つの接続配管経路において曲がり角度を異ならせて、その２つの接続配管経路の形状を同一でないものにする形態もあり得る。
【００３９】
図８（Ａ）は、図１（Ｂ）に相当する。図８（Ｂ）は、千鳥配置ではない２列の並列配置の例である。図８（Ｃ）は、千鳥の並列配置が２組存在する例である。並列配置のそれぞれの１つの組において、接続配管経路における曲がり角度の合計値は２００度以下であり、かつ曲がり回数は２回となっている。図８（Ｄ）は図８（Ｂ）の変形例で、並列配置されるフィルタが横方向位置として並んでおり、横方向にはコンパクトであるが、図で縦方向については、図８（Ａ）〜（Ｃ）の方が、２列配置された２列における各列の中心軸間の距離が、フィルタの外径寸法より小さいように設定されているので、コンパクトである。
【００４０】
図８（Ａ）〜（Ｄ）においては、フィルタのそれぞれの入口と出口とは、一直線上に配設され、その直線と２列配置の列の中心軸とは平行となっていると同時に、並列配置に係る複数の分岐配管は、同一の形状の分岐配管であり、フィルタヘッド部の形状も同一の形状である。このため、分岐配管、フィルタヘッド部は１種類となり、安価製造に寄与するし、組立の間違いも起こさない。
【００４１】
図８（Ｅ）〜（Ｇ）では、フィルタヘッド部が同一の形状でなく、２種類のフィルタヘッド部を有している。２種類の中には、フィルタヘッド部そのものにおいて、並列配置の分岐や、配管経路の曲がりがなされる種類のフィルタヘッド部が含まれている。このようなフィルタヘッド部を適用することによって、図８（Ａ）に比して横方向によりコンパクトな配置を実現している。
【００４２】
特に図８（Ｆ）と図８（Ｇ）は千鳥の並列配置の例でもあって、２列配置された２列における各列の中心軸間の距離が、フィルタの外径寸法より小さいように設定されているだけでなく、横方向においてもフィルタ中心を通る各列の中心軸への垂線同士間の距離が、フィルタの外径寸法より小さいように設定されているので、縦方向にも横方向にもコンパクトである。また、千鳥配置なので、コンパクトでありながら、（縦方向、すなわち浄水器としての奥行き方向の）２列目のフィルタが１列目のフィルタの間に来るので、１列目側（浄水器正面側）からの２列目フィルタへのアクセスがし易く、その交換、メンテナンス時に便利である。
【００４３】
図８（Ｅ）と図８（Ｆ）においては、フィルタ間の配管は、同一の形状ではなく、２種類の配管を有している。一方、図８（Ｇ）においては、並列配置に係る複数の分岐配管は、同一の形状の分岐配管である。
【００４４】
図９（Ａ）は、図８（Ａ）において、それぞれの曲がり角度が４５度の形態であり、曲がり角度の合計値は９０度である。この図９（Ａ）では、図８（Ａ）より曲がり角度の合計値が小さいので、曲がりにおける圧力損失はより低減できる。但し、フィルタ同士の干渉を避けるため直線部分の配管経路が、図８（Ａ）より長くなり、それに伴い、浄水器としての横方向長さも長くなる。
【００４５】
上述の形態は、配管同士が所定の角度で連結されている形態であるが、曲がりが円弧的曲がりの形態であっても、同様の定義付けをし得る。例えば、図９（Ｂ）は、図８（Ａ）において、曲がりが円弧的曲がりの形態である。配管同士が所定の角度で連結されているわけではなく、円弧を描いていることから、曲がり角度の定義付けがし難い。そこで、円弧の両端点における円弧への接線同士の交差角度を求め、その交差角度を曲がり角度とみるのである。すなわち、図９（Ｂ）の形態においては、円弧の両端点における円弧への接線同士の交差角度は９０度であるので、１つの組に係る接続配管経路における曲がり角度の合計値は、曲がり角度が９０度の曲がりが２回あることから、１８０度となる。曲がりが円弧的曲がりの形態においては、上述のように角度を求めることにより、１つの組に係る接続配管経路における曲がり角度の合計値を求めることができる。
【００４６】
図１０のどちらの図の実施例においても、並列配置に係る接続配管経路における曲がり角度の合計値は２００度以下であり、かつ接続配管経路は同一の形状の経路となっている。そして、並列配置に係る複数の分岐配管は、同一の形状の分岐配管であり、フィルタヘッド部の形状も同一の形状である。
【００４７】
図１０（Ａ）、図１０（Ｂ）は、フィルタが２列配置ではなく、それぞれ、１列配置、３列配置の実施形態である。どちらも、曲がり回数が４回となっているが、曲がり角度は４５度と小さく、曲がり角度の合計値は１８０度であって、接続配管経路としての圧力損失は低減できている。図１０（Ａ）は浄水器奥行き（図の縦方向）寸法をコンパクトにする場合に適しており、また、図１０（Ｂ）では、きれいな対称配置にしつつ、横方向寸法をコンパクトにする場合に採用可能である。
【００４８】
上述の図８〜図１０においては、模式平面図を用いて本発明の実施形態例を説明したので、接続配管経路における曲がりは、その平面内であることを前提としたが、曲がりは平面外（上下方向）への曲がりであっても、その曲がり角度の合計値が２００度以下であれば、本発明に含まれる。特に、１列配置の図１０（Ａ）の曲がりが平面外の上方向であってもよく、その形態であれば、浄水器奥行き（図の縦方向）寸法をよりコンパクトとすることができる。
【００４９】
一方、比較例として示す図１１の例では、並列配置に係る接続配管経路における曲がり角度は９０度で、曲がり回数は４回になっており、曲がり角度の合計値は３６０度であり、２００度を超えている。そのため、その接続配管経路は圧力損失が大きい。（ちなみに、特許文献１の浄水器では、図１１（Ａ）に類似する形態で、並列配置に係る接続配管経路において、柱状フィルタの軸方向に直交する平面外（下方向）で、５回の９０度の曲がりを有しており、その合計値は４５０度となっており、本発明とは異なる。）
なお、本発明の内、並列配置に関する発明以外の発明部分においては、複数のフィルタの配置、構成は、上述のようなものだけでなく、対象となるその地域の水道水水質や必要とされる流量などにより、例えば、４本全て直列配置の構成、並列配置の１つの組に係る接続配管経路における曲がり角度の合計値が２００度を超える構成などに、変化させることも可能である。
【００５０】
次に、フィルタ２を構成するフィルタヘッド部４とフィルタカートリッジ５との結合に関する構造、構成について説明する。併せて、フィルタ２の取付板３への固定の構造、構成についても説明する。
【００５１】
一般家庭で用いられる浄水器または浄水器用フィルタにおいては、フィルタカートリッジの交換を容易に行えるように、水道水配管の接続されたフィルタヘッド部に、フィルタカートリッジを着脱できる様々な構造が考案され、使用されている。その中でも、バヨネット機構やネジ締結機構など回動による機構で、フィルタカートリッジのフィルタヘッド部への着脱を行うことは、一般的に行われていることである。
【００５２】
例えば、特許文献である特表２０１０−５０４１８５号公報の浄水器においては、フィルタカートリッジは、その上部外周面に固定部材が円形キャップのスライド通路に挿入され、回転して、円形キャップに固定される。その際、円形キャップの下部に形成された突出部が、フィルタカートリッジの上面に沿って曲線状に形成されたガイド溝に挿入され、フィルタカートリッジの回転運動は案内される。しかしながら、回転運動による固定、装着が、いつ、どこで完了したかを、使用者が的確に判断できない問題があった。そこで、そのような問題点に鑑み、フィルタカートリッジのフィルタヘッド部への装着の完了を確実に使用者が知ることのできる浄水器とフィルタ用浄水器を提供することは意義あることである。
【００５３】
また、一般家庭で用いられる浄水器、特に流し台の下部に設置して用いられるアンダーシンク型浄水器などおいては、浄水器を流し台下部の収納部の壁面に取り付けるため、浄水器のフィルタを取付板に固定し、その取付板を収納部の壁面に取り付けることが一般的に行われている。フィルタは通常、フィルタヘッド部とフィルタカートリッジとから構成され、取付板へのフィルタの固定は、フィルタヘッド部を取付板に固定することでなされる場合が多い。
【００５４】
例えば、特許文献１である特開２０１２−１４３７０９号公報では、フィルタヘッド部の取付板（ブラケット）への固定は、取付板の裏側からの複数本のネジによる締結によって行われている。しかしながら、フィルタヘッド部を取付板の正しい位置に、位置決め載置しつつ、裏側から複数本ネジ締結するのは、工具を必要とし、時間のかかる煩わしい作業であるという問題があった。特に、複数のフィルタを有する浄水器においては、なおさら大きな問題であった。そこで、そのような問題点に鑑み、フィルタヘッド部とフィルタカートリッジからなるフィルタ有する浄水器であって、壁面等への取り付け用の取付板に、フィルタヘッド部を簡便に固定することのできる浄水器を提供することは意義あることである。
【００５５】
図３は、本発明の一実施形態におけるフィルタヘッド部４、フィルタカートリッジ５、および取付板３に関する図であり、図３（Ａ）が縦断面図、図３（Ｂ）が正面図、図３（Ｃ）が横断面図である。尚図３（Ａ）においては、図示説明の都合上、以下に記述するバヨネット機構の周方向位置を本来とはずらして、その図の中に表現している。
【００５６】
図３に示すように、フィルタカートリッジ５はバヨネット機構により回動して着脱可能にフィルタヘッド部４に装着、結合されて、フィルタ２が構成される。より詳しくは、外形が柱状のフィルタカートリッジ４の上部を構成する蓋１２の外周には、少なくとも２つのバヨネット結合凸部１９が設けられており、バヨネット結合凸部１９を含む蓋１２の上部部分が、フィルタヘッド部４の外側筒状部３６により画定されるその内部空間３８に軸方向に挿入され、バヨネット結合凸部１９がフィルタヘッド部４の外側筒状部３６に設けられるバヨネット結合凹部３９に対し係合、回動することにより、バヨネット機構による結合がなされる。フィルタカートリッジ５を取り外す場合は、結合の時とは逆方向に回動させることにより、それは行われる。このように、フィルタカートリッジ５のフィルタヘッド部４への脱着がバヨネット機構によるものなので、脱着の操作が簡便、容易である。
【００５７】
フィルタヘッド部４には、少なくとも１つの弾性変位可能な第１凸部４１(係合部位)が設けられ、フィルタカートリッジ５の（蓋１２の）外面には少なくとも１つの第２凸部２４（被係合部位）が設けられており、フィルタカートリッジ５のフィルタヘッド部４への装着のための回動に伴い、その完了段階で、第１凸部４１が弾性変位して、第２凸部２４を乗り越え、第１凸部４１と第２凸部２４とが係合するように配置されている。この乗り越え（係合）により、バヨネット機構によるフィルタカートリッジ５の装着感が得られることになる。図３に示す実施形態では、第１凸部４１は、フィルタヘッド部４の下部外周縁に設けられる切欠き４２と切欠き４２から周方向に設けられるスリット４３とにより形成される、周方向に延在する形状となっている。もちろん、第１凸部の形状はこれに限られるものでなく、後述する図４に示されるような、角錐台（や円錐台、角柱、円柱、半球）状の形状も好ましい。第２凸部の形状は、図３においては角柱状であるが、第１凸部と同様な形状とすることもできる。また、フィルタヘッド部に設けられる第１凸部の設置位置も、下部外周縁でなく、例えば、外側筒状部３６の内周面にあってもよい。その際は当然ながら、第２凸部の位置も、第１凸部に対応する位置に設定するものとする。
【００５８】
このように、フィルタカートリッジ５の装着感を、装着に係わる部材以外の部材を設けず、２部材（この場合、フィルタカートリッジ５とフィルタヘッド部４）だけで簡便・安価に達成できる。また、その装着感により、使用者は、確実に装着完了を知ることができるし、間違いなく（水漏れしないように）確実に装着を行うことができる。さらに、第１凸部４１がフィルタヘッド部の下部外周にある場合には、使用者がそれを視認できるので、装着感と共に、視覚により装着完了をより確実に確認できる。
【００５９】
視覚により、フィルタカートリッジのフィルタヘッド部への装着完了をさらに確実に確認できるようにするために、フィルタカートリッジ外面上の目印（上記の第２凸部でもよいし、その他の突起目印または印刷目印などでもよい）と、フィルタヘッド部の見やすい場所に設けられる装着完了を意味するマーク（印刷や刻印などによる文字や図柄）とが、フィルターカートリッジ装着完了時の位置において、フィルタカートリッジ回動の周方向位置として照合（または一致）するように配置させることは好ましいことである。
【００６０】
併せて、同様に、フィルタヘッド部の見やすい場所にフィルタカートリッジ取り外し（または装着開始）を意味するマーク（印刷や刻印などによる文字や図柄）を設けて、フィルターカートリッジ取り外し完了（または装着開始）時の位置において、前記フィルタカートリッジ外面上の目印と、周方向位置として照合（または一致）するように配置させることも好ましいことである。こうすることで、フィルタカートリッジの取り外し完了（または装着開始）を視覚により確実に確認できる。
【００６１】
図３の実施形態では、第１凸部４１が、弾性変位可能となっているが、逆に、第２凸部を弾性変位可能とする変形実施形態もあり得るし、双方が弾性変位してもよい。つまり、係合部位および／または被係合部位が弾性変位可能であって、フィルタカートリッジ５のフィルタヘッド部４への装着のための回動に伴い、係合部位と被係合部位とが係合して、弾性変位可能な部位の弾性変位状態が変化することにより、バヨネット機構によるフィルタカートリッジの装着感が得られる構成であればよい。従って、係合部位と被係合部位とは、第１凸部と第２凸部の形態でなくて、凸部と凹部（または凹部と凸部）の変形実施形態であってもよい。この凸部と凹部の形態の場合、フィルタカートリッジ５のフィルタヘッド部４への装着のための回動に伴い、凸部と凹部とが係合、嵌め合うことによって、凸部および／または凹部である弾性変位可能な部位の弾性変位状態が変化することにより、バヨネット機構によるフィルタカートリッジの装着感が得られることになる。
【００６２】
図１で示したように、浄水器１では、フィルタカートリッジ５内部に収納されるろ材がそれぞれ異なる複数のフィルタ２が、取付板３に固定されて使用されている。この浄水器１の複数のフィルタ２において、上記のバヨネット機構装着感をもたらす第１凸部４１と第２凸部２４との位置および／または形状が、フィルタカートリッジ５内部に収納されるろ材に応じて、異なるものとなっていることは、好ましい形態である。例えば、収納されるろ材に応じて、対となる第１凸部４１と第２凸部２４の設けられる上下方向位置が、異なっている形態とすることができる。また例えば、あるろ材に対しては、先端形状が鋭角な第１凸部と丸く滑らかな第２凸部との組合せとし、別のあるろ材では逆に、先端形状が丸く滑らかな第１凸部と鋭角な第２凸部の組合せとする形態とすることが可能である。このような形状とすると、正しい鋭角な凸部と丸く滑らかな凸部との組合せ以外となる、鋭角な凸部同士の組合せでは、相互の乗り越え（係合）ができないように、また丸く滑らかな凸部同士の組合せでは、相互の乗り越えが容易過ぎて装着感を得ることができないようにすることができる。
【００６３】
上記のような形態になっていると、本来装着されるべきフィルタカートリッジと異なる誤ったものを、フィルタヘッド部に装着しようとしても、第１凸部と第２凸部との位置および／または形状がうまく相互に対応せず（適切に係合できず）、バヨネット機構の装着感を得ることができないか、もしくは第１凸部と第２凸部とが互いに衝突して物理的にバヨネット機構による結合を完了することができない。これらの現象により、使用者は装着するフィルタカートリッジが誤っていることに気づくことができる。すなわち、それぞれ異なる機能を有するフィルタカートリッジの誤装着を防止し、確実に正しく選択されたフィルタカートリッジの装着を行うことができる。
【００６４】
このように、フィルタカートリッジ５内部に収納されるろ材に応じて、バヨネット機構装着感をもたらす第１凸部４１と第２凸部２４との位置および／または形状を異ならせる実施形態は、異なる複数のフィルタ種類に対応した、複数のフィルタヘッド部とフィルタカートリッジのハウジングとが存在し、樹脂成形品としての金型を複数製作する態様となる。そこでフィルタヘッド部とフィルタカートリッジのハウジング自体は１種類とし、第１凸部と第２凸部とを別体として製作し、溶着やネジ止めなどによる後付けで、フィルタ種類に応じて、別位置におよび／または別形状の物を取り付ける実施形態とすることは、安価製造のために、より好ましいことである。
【００６５】
もちろん、このような複数の異なる種類のフィルタカートリッジを有する浄水器において、フィルタカートリッジの誤装着防止は、上記バヨネット機構の装着感を得るための第１凸部と第２凸部という構造によらず、別のキー構造を設けて行うこともできるが、上記のようにバヨネット機構の装着感を得る構造を兼用して、誤装着防止を行うことは、簡素、安価という観点で優れている。
【００６６】
今述べた、バヨネット機構の装着感を得る構造を兼用して、複数の異なる種類のフィルタカートリッジの誤装着防止を行う機構は、上述した、凸部と凹部とによる変形実施形態においても、同様に適用することができる。
【００６７】
図３において、フィルタカートリッジ５がフィルタヘッド部４に装着された際、蓋１２の外周面と、フィルタヘッド部４の外側筒状部３６および内側筒状部３７の内周面との間に配置される２つのシール部材（第１シール部材２０と第２シール部材２１）により、フィルタカートリッジ５とフィルタヘッド部４との間は液密結合となっており、原水（上流）および浄水（下流）の流路としての液密性が確保されている。
【００６８】
フィルタヘッド部４の導入口７に連通する原水（上流）流路部分、かつフィルタヘッド４内部の上部である部分には、弁３１が設けられている。この弁３１は、略柱状（上部は筒状）の弁体３２、弁体３２を下流方向に付勢するバネ３３、弁体３１に装着される弁シール部材３４から構成されている。弁体３１は、その上部筒状部が、フィルタヘッド部４内部天面の突起に係合する形で、保持されている。
【００６９】
フィルタヘッド部４にフィルタカートリッジ５が装着されていない時は、バネ３３の付勢力により、弁シール部材３４は流路孔周縁に向かって押圧され当接し、その流路孔を閉塞、弁３１は閉止状態となる。一方、フィルタヘッド部４にフィルタカートリッジ５が装着された時は、フィルタカートリッジ５の蓋４の中心に位置する出口キャップ受部１８の外面先端部分が、弁体に当接し、バネ３３の付勢力に抗して弁体３２を押し上げ、流路を開放するので、弁３１は開放状態となる。以上の弁３１の機構により、フィルタカートリッジ５装着時は、確実に通水可能となり、また、フィルタカートリッジ５未装着時には、弁３１が流路を閉止するので、フィルタカートリッジ５の装着不備や、フィルタカートリッジ５交換作業の際に、水道水が吹き出るといったトラブルを防止できる。
【００７０】
図３から分かるように、フィルタヘッド部４にフィルタカートリッジ５が装着され、弁３１が開放状態となった時には、水道水は、フィルタヘッド部４の導入口７から流入し、開放された弁３１を通過し、フィルタカートリッジ５の入口２２、ろ材１６、出口キャップ１４の中央流路、出口キャップ受部１８、出口２３の順に流れ、フィルタヘッド部４の外側筒状部３６と内側筒状部３７との間の流路を通って、導出口８に至り、流出する。
【００７１】
図３の実施形態における、フィルタ２の取付板３への固定の構造、構成について述べる。
【００７２】
フィルタ２は、フィルタヘッド部４が取付板３に載置、固定される形で、取付板３に固定されている。取付板３には、開口５１が設けられ、その周縁には少なくとも１つの切欠き５２（突起の被係合部）が設けられている。一方、フィルタヘッド部４の（外側筒状部３６の）下部には弾性変位可能な突起４４が形成されている。図３の場合、突起４４は径方向内側に変位可能なように構成されている。突起４４は切欠き５２に対応する数が備えられているのが望ましいが、切欠き５２の数より少なくてもよい。フィルタヘッド部４を取付板３の所定位置に載置し、上から押圧することで、突起４４が切欠き５２に挿通、係合することで、固定がなされる。突起４４と切欠き５２が複数ある場合でも、突起４４は弾性変位可能なので、一遍に挿通、係合することが可能である。もちろん、突起４４の弾性変位可能量は、突起４４と切欠き５２双方の寸法、位置の製作誤差を越えるものに設定されている。
【００７３】
この固定方法により、ネジなどの別部材や工具を使用せずに、簡便にフィルタヘッド４を取付板３に固定することができる。図３において、突起の被係合部は開口５１の周縁の切欠き５２であるので、突起４４の係合によりフィルタヘッド部４は取付板３に対し、径方向にも固定されている。
【００７４】
また、上記の固定構造・構成を採用して、図１に示される複数のフィルタ２のフィルタヘッド４を配管６で相互に連結した後に、連結された複数のフィルタヘッド部４を一括で取付板３に固定することができ、浄水器１の組立製造が非常に容易となる。
【００７５】
こうして固定されたフィルタヘッド部４を取付板３から取り外すには、弾性変位可能な突起４４を人為的に、変位方向に押して変形させつつ、固定時とは反対に、取付板３からフィルタヘッド部４を上部方向に動かし、抜き出せば、取り外しを行うことができる。
【００７６】
図３において、取付板３の開口５１は、フィルタカートリッジ５の蓋１２の上部部分の外形寸法より大きいので、フィルタカートリッジ５は、フィルタヘッド部４を取付板３に固定後、開口５１を挿通して、容易にフィルタヘッド部４に装着できるし、取り外しもできる。従って、取付板３の存在は、フィルタカートリッジ５の着脱に、何の支障もない。
【００７７】
このように取付板が存在することが前提の実施形態においては、先述した、フィルタカートリッジ装着完了（または取り外し完了、または装着開始）時の位置において、フィルタカートリッジ外面上の目印と周方向位置として照合（または一致）するように配置させるマークは、フィルタヘッド部の見やすい場所ではなくて、取付板の見やすい場所（たとえば、取付板の外周縁上）に設けてもよい。
【００７８】
取付板３は、フィルタヘッド部４の載置面５３と、浄水器１とは別体の壁（キッチン下部の収納部の内側壁やキッチン室内の壁など）への取付面５４とを有していて、側面視においてそれら両面によりＴ字状をなしている。ここで、側面視とは、載置面と取付面とにそれぞれ垂直な面に垂直な方向から視ることをいう。Ｔ字状ではなく、Ｌ字状でもよい。そして、壁への取付面５４には壁への取付け用穴が設けられている。この構成により、浄水器１をキッチンシンク下の壁や、部屋の壁などに容易に取り付けることができ、現場での組立時間も少なくなる。
【００７９】
上述のフィルタヘッド部４の突起４４に加えて、外側筒状部３６の下部に第二の突起を設け、周方向に関しては第二の突起が、切欠き５２に係合することにより、フィルタヘッド部４の取付板３に対する周方向の固定がなされることとしてもよい。この場合、突起４４の切欠き５２に対する周方向クリアランスは、第二の突起の切欠き５２に対する周方向クリアランスより大きくすれば、確実に、フィルタカートリッジ５脱着のための回動による周方向の力が、弾性変位可能な突起４４に加わらないようにすることができ、その破損の危険性をより減ずることができる。
【００８０】
上述した図３の弾性変位可能な突起４４は、径方向に変位可能であるが、周方向に変位可能な突起とする構成でも、フィルタヘッド部を取付板に対して、押圧するだけで、突起を切欠きに挿通、係合させ、フィルタヘッド部を取付板に固定することができる。
【００８１】
さらに、開口５１周縁の切欠き５２ではなく、開口５１そのもの、または取付板の載置面に設ける孔（突起の被係合部）に、フィルタヘッド部の下部、または外周（下部近傍であることが好ましい）に設ける弾性変位可能な突起を、フィルタヘッド部を取付板に対して押圧することにより、係合させる構成でも、フィルタヘッド部の取付板への簡便な固定を行うことができる。
【００８２】
また、取付板３に、化粧カバーを取り付けられるようにし、フィルタ２全体または一部の目隠しとし、美観を高めるようにすることも好ましい。
【００８３】
図４は、図３とは異なる、本発明の他の実施形態におけるフィルタヘッド部１０４、フィルタカートリッジ１０５、および取付板１０３に関する図であり、（Ａ）が縦断面図、（Ｂ）が正面図、（Ｃ）が横断面図である。
【００８４】
図４に示すように、フィルタカートリッジ１０５は、やはりバヨネット機構により回動して着脱可能にフィルタヘッド部１０４に装着、結合されて、フィルタ２が構成される。しかし、図４の実施形態の場合、バヨネット結合凹部１３９は、図３の実施形態とは異なり、フィルタヘッド部１０４の外側筒状部１３６の内面下部に設けられる凹部の上部と、取付板１０３の載置面１５３が形成する凹部の下面とにより、構成されている。フィルタカートリッジ１０４の上部を構成する蓋１１２の外周に設けられているバヨネット結合凸部１１９が、そのバヨネット結合凹部１３９に対し係合、回動することにより、バヨネット機構による結合がなされる。
【００８５】
フィルタ１０２への通水時に発生する水圧によりバヨネット結合凸部１１９に加えられる下向き荷重は、バヨネット結合凹部１３９の下面である取付板１０３の載置面１５３で受け止められる。図３の場合は、その下向き荷重は、フィルタヘッド部４で受け止められている。取付板の方が、荷重に耐える強度補強を行う寸法、形状における制約が少なく、補強が容易であるため、荷重が大きくなる機種では、図４の実施形態の方が、強度設計がし易い利点がある。
【００８６】
図４では、バヨネット機構による装着感を得る構成も図３と少し異なる。図４の実施形態では、取付板１０３の開口１５１周縁の下部に、少なくとも１つの弾性変位可能な第１凸部１４１（係合部位）が設けられている。第１凸部１４１は、角錐台（や円錐台、角柱、円柱、半球）状の形状が好ましい。その第１凸部が、フィルタカートリッジ１０５の外面（蓋１１２の肩部分）に設けられる少なくとも１つの第２凸部１２４（被係合部位）を、フィルタカートリッジ１０５のフィルタヘッド部１０４への装着のための回動の完了段階で、乗り越え、係合することで、バヨネット機構による装着感が得られる。
【００８７】
図４の実施形態でも、第１凸部１４１は取付板１０３の開口１５１周縁の下部にあって、使用者がそれを視認できるので、装着感と共に、視覚により装着完了をより確実に確認できる。もちろん、取付板に設けられる第１凸部の設置位置は、開口１５１周縁の下部でなく、例えば、開口１５１の内周面にあってもよい。その際は当然ながら、第２凸部の位置も、第１凸部に対応する位置に設定するものとする。
【００８８】
図３の実施形態のバヨネット機構の装着感を得るための第１凸部４１と第２凸部２４という構造のところで記載したのと同様に、係合部位と被係合部位の実施形態の変形は適用できるし、また図４のバヨネット機構装着感をもたらす第１凸部１４１と第２凸部１２４との位置および／または形状が、フィルタカートリッジ１０５内部に収納されるろ材に応じて、異なるものとなっていることは、好ましい形態である。それにより、同様にフィルタカートリッジの誤装着防止の効果を、別の構造を設けることなく、得ることができる。
【００８９】
図４の実施形態における、フィルタ１０２の取付板１０３への固定の構造、構成について述べる。
【００９０】
フィルタ１０２は、フィルタヘッド部１０４が取付板１０３に載置、固定される形で、取付板１０３に固定されている。
【００９１】
取付板１０３の載置面１５３（上面）には、フィルタカートリッジ１０５が挿通する開口１５１の周囲に、高さは低いが略筒状の上面筒状部１６２（突起の被係合部）が形成されている。一方、フィルタヘッド部１０４の外側筒状部１３６下部外周の一部には、弾性変位可能な突起１４４である複数の縦縞状のリブが形成されている。そして、取付板１０３の上面筒状部１６２の内周形状と、フィルタヘッド部１０４の外側筒状部１３６下部外周（フランジ状部分）の形状とは、略同形状である。フィルタヘッド部４が取付板１０３に載置され、押圧されることにより、外側筒状部１３６下部外周は、上面筒状部１６２に挿入され、弾性変位可能な突起１４４が変位して、上面筒状部１６２と係合し、嵌合する。これによりフィルタヘッド部１０４は、取付板１０３に載置、固定される。
【００９２】
図４の実施形態では、フィルタヘッド部１０４の取付板１０３への固定をより、強固にするため、フィルタヘッド部１０４と取付板１０３とは、さらにネジ方式で結合されている。より詳しくは、取付板１０３の開口１５１周縁に設けられる貫通孔を、ビス１６１が挿通し、予めフィルタヘッド部１０４に設けられているビス止め用の下穴にねじ込まれて、ネジ結合が完了する。ネジ方式の結合により、強固な結合、固定が実現できる。
【００９３】
ビス１６１ではなく、通常のネジやボルトを、フィルタヘッド部１０４に切られためねじタップに螺合してもよいし、取付板１０３、フィルタヘッド部１０４双方に貫通孔を設け、ネジやボルトとナットとによる螺合で結合してもよい。
【００９４】
上述のフィルタヘッド部１０４の取付板１０３への押圧による、上面筒状部１６２（突起の被係合部）と弾性変位可能な突起１４４との嵌合により、ネジ結合（ビス止め）前でも、フィルタヘッド部１０４は、取付板１０３にかなりきつく固定され、ビス止めのため、フィルタヘッド部１０４と取付板１０３との組立体を、逆さまにしても、フィルタヘッド部１０４が脱落することがない。このため、取付板１０３の下面側からのビス止めが行い易い。
【００９５】
また、左右反対での組立防止用に、フィルタヘッド部１０４には位置合せピンが、一方、取付板１０３には、位置合せピンが入るピン用孔が１つ設けられており（図示せず）、フィルタヘッド部１０４の取付板１０３への載置、固定の向きが正しくセットされるようになっている。
【００９６】
また、上記のフィルタヘッド部１０４の取付板１０３への固定の構造・構成においても、図１のような複数のフィルタ（そしてフィルタヘッド）を有する浄水器において、フィルタヘッド１０４を配管で相互に連結した後に、連結された複数のフィルタヘッド部１０４を一括で取付板１０３に押圧して固定し、その後追加してビス止めで固定することができ、浄水器の組立製造が非常に容易である。
【００９７】
図４においても、取付板１０３の開口１５１は、フィルタカートリッジ１０５の蓋１１２の上部部分の外形寸法より大きいので、フィルタカートリッジ１０５は、フィルタヘッド１０４を取付板１０３に固定後、開口１５１を挿通して、フィルタヘッド部１０４に装着できるし、取り外しもできる。
【００９８】
続いて、本発明の一実施形態におけるフィルタカートリッジ５の内部構造、構成について説明する。
【００９９】
図１の説明において述べたように、フィルタカートリッジは、内部に収納するろ材の異なった複数種がある。しかし、以下に述べるフィルタカートリッジの基本的構造・構成は共通するものである。そこで、図５に示す吸着ろ過によるフィルタカートリッジ５の縦断面図を代表して用いて、説明する。
【０１００】
フィルタカートリッジ５は、有底の円筒容器１３と蓋１２とからなるハウジング１１と、ハウジング１１内に収納されるろ材部２５とを有している。ろ材部２５とは、ろ材１６とろ材１６を保持し、通水を可能とする部材とからなる内部構造物を指す。ろ材部２５はその細部構造を除いて略軸対象形状をしている。円筒容器１３と蓋１２とは液密に結合している。結合の方式は、回転溶着、超音波溶着、ネジ結合などが可能である。
【０１０１】
蓋１２には、流路としての入口２２と出口２３が設けられる。図５に示されるように、蓋１２の上部開口部の中央付近には、蓋の一部として一体的に成形されている出口キャップ受部１８が設けられている。出口キャップ受部１８の外周部の一部は、蓋１２の上部開口部の内面に一体的に連結されており、その内部が流路としての出口通路をなし、その出口通路に連通し、蓋１２の上部開口部の外側面の一部に設けられる開口が出口２３である。入口２２は、蓋１２の上部開口の内、出口キャップ受部１８を除いた円環状部分である。
【０１０２】
ろ材部２５の上部（下流側）の部材として、出口キャップ１４が設けられ、その内部は下流側（出口側）流路をなしている。出口キャップ１４は、出口キャップ受部１８に嵌入し、液密に係合、固定されている。このようにして結局は、ろ材部２５（の一端が）が蓋１２に液密に係合、固定されていることになる。図５では、ろ材部２５と蓋１２との係合部分にシール部材が介在していて、液密性能を確実にしているが、シール部材なしの嵌合だけで、液密が達成できるのであれば、それでも問題ない。
【０１０３】
ろ材部２５の他端である、その下部には、ろ材部下部の凹部１７が設けられ、円筒容器１３の底部に設けられる、容器底部の凸部１５と係合している。ろ材部２５の他端と円筒容器１３との関係は、このように凹凸の係合でなくて、ろ材部２５の他端が容器底部と当接・保持されているだけでもよいし、ろ材部２５の他端と容器底部との間に隙間があってもよい。要するに、ろ材部２５の他端が円筒容器１３に収納されていればよい。
【０１０４】
図５のフィルタカートリッジ５において、吸着ろ過によるフィルタカートリッジとしての特有の構成について、述べる。
【０１０５】
ろ材１６は吸着剤であり、代表的には活性炭が使用される。活性炭は粒状、粉末状、繊維状いずれの形状のものでもよい。またそれらの吸着剤が成形された成形体の形態のものでもよい。また、ゼオライトなどのセラミック系の吸着剤も使用可能である。
【０１０６】
図５の実施形態において、ろ材１６である活性炭２６は、筒状のろ材収納容器の中に充填されているが、ろ材としての形状が軸方向長さが径方向長さより長い柱状となっている。（筒状に構成することもできる。）そして、活性炭への通水流路方向は、収納容器の底部（ろ材部２５下部）に設けられる通水孔から流入し、出口キャップ１４へと流出する軸方向となっている。もちろん、ろ材を筒状とし、その径方向に通水させる形態もあり得る。
【０１０７】
図１の説明で述べたように、この活性炭２６をろ材とするフィルタカートリッジ５を有するフィルタ２は、第２フィルタおよび第３フィルタとして並列配置される。図５のような軸方向流路の吸着剤（活性炭）をろ材としたフィルタカートリッジ５は、径方向流路のものよりも、ショートパスの恐れが少なく、また安価でもあり、かつ口径が小さくできるのでカートリッジハウジングの耐圧強度が大きいという利点がある。反面、複数使用されるフィルタカートリッジの中で圧力損失が最も大きいのが通例であり、浄水器としての流量がこれによって制限されるという懸念点も有している。従って、このような軸方向流路の活性炭２６をろ材としたフィルタカートリッジ５を、浄水器において並列配置して使用することは、圧力損失を大きく低減させ、流量を増大させるのに最も効果的なことであり、意義あることである。また、活性炭、特に粒状や粉末状の活性炭は、一般的に圧力損失が大きいので、それをろ材とするフィルタを並列配置することは、ろ材の形状に係らず、浄水器としての圧力損失を大きく低減させ、流量を増大させるのに大きな効果を有する。
【０１０８】
尚、ろ材としての活性炭部分には、銀（または銀イオン）、銅（または銅イオン）、亜鉛（または亜鉛イオン）など抗菌成分を水道水中に含有させるろ材（例えば、銀添着活性炭）を含んでもよい。また、鉛などの水道水中に含まれ得る重金属を除去するろ材（例えば、ゼオライト、イオン交換樹脂など）を含んでもよい。
【０１０９】
図６に、プレフィルタとしてのフィルタカートリッジ５の縦断面図を示す。これは、図１の説明で述べた第１フィルタに使用されるものである。基本的構造・構成は上述の図５のフィルタカートリッジと同一である。プレフィルタ用のろ材としては、代表的に不織布やメルトブローによる樹脂成形体が使用される。
【０１１０】
図６の実施形態で、ろ材である不織布２７の通水流路方向は、図５の活性炭とは異なり、径方向であり、筒状の不織布の外周側から内周側に向かって、通水がなされ、ろ過は行われる。もちろん、プレフィルタとしてのろ材は不織布やメルトブローによる樹脂成形体に限られるものではない。例えばメッシュ状フィルタであってもよい。
【０１１１】
図７に、ろ過膜によるフィルタカートリッジ５の縦断面図を示す。これは、図１の説明で述べた第４フィルタに使用されるものである。基本的構造・構成は上述の図５のフィルタカートリッジと同一である。ろ過膜としては、代表的に中空糸膜が使用される。その他平膜形態のものをろ材としてもフィルタカートリッジを構成できる。
【０１１２】
図７の実施形態において、筒状の収納容器の中に、Ｕ字上に曲げられた多数の中空糸膜２８が収納されている。中空糸膜２８の端部は、収納容器出口側に、封止樹脂でもってポッティングされ、固定されると共に、出口側（下流側）に向かって開口している。収納容器の底部に設けられる通水孔から流入する水は、中空糸膜２８の外側から内側へと通水され、中空糸膜２８の微細孔によりろ過がなされる。
【産業上の利用可能性】
【０１１３】
本発明は、主に一般家庭などの水道水の浄化を行うための浄水器に利用することができる。特に、キッチン下部の収納部に設置して使用するアンダーシンク型浄水器、または、キッチンやダイニング等の部屋の壁に設置して使用する壁掛け型浄水器のために、好適に利用することができる。
【符号の説明】
【０１１４】
１：浄水器
２、１０２：フィルタ
３、１０３：取付板
４、１０４：フィルタヘッド部
５、１０５：フィルタカートリッジ
６：配管
７：導入口
８：導出口
９：原水導入口
１０：浄水導出口
１１：ハウジング
１２、１１２：蓋
１３：円筒容器
１４：出口キャップ
１５：容器底部の凸部
１６：ろ材
１７：ろ材部下部の凹部
１８：出口キャップ受部
１９、１１９：バヨネット結合凸部
２０：第１シール部材
２１：第２シール部材  
２２：入口
２３：出口
２４、１２４：第２凸部
２５：ろ材部
２６：活性炭
２７：不織布
２８：中空糸膜
３１：弁
３２：弁体
３３：バネ
３４：弁シール部材
３６、１３６：外側筒状部
３７：内側筒状部
３８：内部空間
３９、１３９：バヨネット結合凹部
４１、１４１：第１凸部
４２：第１凸部の切欠き
４３：第１凸部のスリット
４４、１４４：突起
５１、１５１：開口
５２：切欠き
５３、１５３：載置面
５４：壁への取付面
１６１：ビス
１６２：上面筒状部
【図１】
2014119530.tif 000003
【図２】
2014119530.tif 000004
【図３】
2014119530.tif 000005
【図４】
2014119530.tif 000006
【図５】
2014119530.tif 000007
【図６】
2014119530.tif 000008
【図７】
2014119530.tif 000009
【図８】
2014119530.tif 000010
【図９】
2014119530.tif 000011
【図１０】
2014119530.tif 000012
【図１１】
2014119530.tif 000013
【国際調査報告】
2014119530.tif 000014
2014119530.tif 000015
2014119530.tif 000016
2014119530.tif 000017